(57)【要約】      （修正有）【課題】ネクタイを使用することなく着用したとき、最上部のボタン留めより上の部分の前立てが潰れるのを、シャツの外見を変えずに防ぐための前立て形状維持具とその設置場所を備えたシャツを提供する。【解決手段】ワイシャツ或いはワイシャツと同様な前立てを有するシャツの左右双方の前身頃の前立ての上部の裏地にそれぞれ横に細長い切れ目４を入れ、その切れ目を開口部として袋状になった前立ての内部に、細長い長方形６で、片端に脚の部分７を設けた形状をした薄い板（形状維持具）を挿入して、最上部のボタン留め５の部分で留めて設置する。【選択図】図１
0003221855.tif 000002
【実用新案登録請求の範囲】
【請求項１】
ワイシャツ或いはワイシャツと同様な前立てを有するシャツの左右双方の前身頃の前立ての上部の裏地にそれぞれ横に細長い切れ目（４）を入れ、その切れ目を開口部として袋状になった前立ての内部に、形状維持具（図３）を挿入して最上部のボタン留め（５）の部分で留めて設置できるように縫製したワイシャツ。
【請求項２】
ワイシャツ或いはワイシャツと同様な前立てを有するシャツの前立て部分に挿入して使用する、所定の形状（図３）をした前立ての形状維持具。
【請求項３】
プラスチック製あるいはアクリル製などの弾力性及び形状維持性並びに防水性を備えた材質で、ハサミ等で簡単に切断して任意にその形状を修正できる薄い板上の前立て形状維持具
【考案の詳細な説明】
【考案の詳細な説明】
【技術分野】
【０００１】  本考案は、ワイシャツ或いはワイシャツと同様な前立てを有するシャツを、ネクタイを使用しない場合、前立ての上部に開口部を設けて、その中に前立て形状維持具を挿入して、ワイシャツの外見を変えないで、前立てが潰れることを防止する形状維持具とその設置場所に関するものである。
【背景技術】
【０００２】  ワイシャツ等の  前立てが、ネクタイを使用しない場合に、潰れて見苦しくならないようにするための考案には、ループタイ等のネクタイ代用品や羽衿の衿先に補助ボタンを設けたワイシャツや所定の形状維持具を前立てのほぼ前面全体に設置するもの等があるが、いずれも従来のワイシャツの外見を損なうものである。
そのためシャツの生地を固めにしてアイロンがけをするなどして凌いでいるのが現状である。
【考案が解決しようとする課題】
【０００３】  ワイシャツ或いはワイシャツと同様な前立てを有するシャツを、ネクタイを使用しないで着用する場合、前立ての上部が、最上部のボタン留めまでの間で潰れて見苦しくなるのを防止するための前立ての形状維持具とその設置場所を設けたワイシャツ。
【課題を解決するための手段】
【０００４】  ワイシャツ或いはワイシャツと同様な前立てを有するシャツの前立ては、生地が表裏二枚重ねの袋状になっているので、その裏地の上部に、横の細長い切れ目（４）を入れて開口部を作り、そこから、所定の形状をした薄いプラスチック板あるいはアクリル板等で図３の７の脚を有した形状維持具を差し込んで最上部のボタン留めをその脚で挟んで留めることで、その形状維持具の形状により、ネクタイを使用しない場合でも前立ての上部が見苦しく潰れることを防ぐことができる。
さらに補強具に脚の部分があることで、最上部のボタン留めの部分を支点にして前立てが折れ曲がるのを防ぐことができる。また、形状維持具は、前立ての中に設置するためシャツの外見に変化がなく、本考案のシャツは、着用するとき抵抗感を感じる恐れがない。その他、本考案の形状維持具は、設置したままシャツを洗濯しても変形することがなく、使い古した場合は新しいものと簡単かつ自由に取り換えることができる。また、任意に形状を変えることも可能である。
【図面の簡単な説明】
【０００５】
【図１】本考案のシャツを着用した場合の外見図
【図２】本考案のシャツの前立ての上部に切れ目を入れた前立て部分の裏面図
【図３】本考案のプラスチック等の薄板で作った前立て形状維持具の図
【考案を実施するための形態】
【０００６】  ワイシャツの前立の裏地の上部に切れ目（４）を入れる。
【０００７】  形状維持具となる薄板（図３）を作る。
【０００８】  ワイシャツの前立の上部に入れた切れ目（４）から、袋状になっている前立の中に本考案の前立て形状維持具（図３）を挿入し、その脚（７）がボタン留め（５）を挟んで留まるように設置する。
【産業上の利用可能性】
【０００９】  ワイシャツの縫製時に、前立ての部分に、予め本考案の切れ目（４）を入れ、切り口の糸が解れないように補強しておくという簡単な作業工程を加えるだけなので、少額の原価で縫製でき、産業上の利用可能性は高い。
【符号の説明】
【００１０】１：羽衿
２：台衿
３：前立
４：前立の裏地に入れた切れ目
５：前立の上部のボタン留め
６：前立の中に挿入した形状維持具となる薄板
７：本考案の形状維持具の脚
【図１】
0003221855.tif 000003
【図２】
0003221855.tif 000004
【図３】
0003221855.tif 000005
【手続補正書】
【提出日】平成30年12月3日(2018.12.3)
【手続補正１】
【補正対象書類名】実用新案登録請求の範囲
【補正対象項目名】全文
【補正方法】変更
【補正の内容】
【実用新案登録請求の範囲】
【請求項１】
ワイシャツ或いはワイシャツと同様な前立てを有するシャツの左右双方の前身頃の前立ての上部の裏地にそれぞれ横に細長い切れ目（４）を入れ、その切れ目を開口部として袋状になった前立ての内部に、その中に設置できる大きさの細長い長方形（６）で、片端に脚の部分（７）を設けた形状をした薄い板を挿入して、最上部のボタン留め（５）の部分で留めて設置できるように縫製したワイシャツ。
【請求項２】
ワイシャツ或いはワイシャツと同様な前立てを有するシャツの、袋状に縫製した前立て上部の中に挿入し、ボタン留め（５）で留めて設置する請求項３記載の薄い板（６，７）で、ボタン留め（５）を挟み込んで設置できるように二本の脚（７）を設けた形状を有する、前立て形状維持具。
【請求項３】
プラスチック製あるいはアクリル製などの弾力性及び形状維持性並びに防水性を備えた材質で、ハサミ等で簡単に切断して任意にその形状を修正できる薄い板状の前立て形状維持具
【手続補正書】
【提出日】平成31年4月3日(2019.4.3)
【手続補正１】
【補正対象書類名】実用新案登録請求の範囲
【補正対象項目名】全文
【補正方法】変更
【補正の内容】
【実用新案登録請求の範囲】
【請求項１】
ワイシャツ或いはワイシャツと同様な前立てを有するシャツであって、左右双方の前身頃の前立ての上部の裏地にそれぞれ横に細長い切れ目（４）を入れ、その切れ目を開口部として袋状になった前立ての内部に、その中に設置できる大きさの細長い長方形で、片端に脚（７）を設けた形状をした薄板（６）を挿入して、最上部のボタン留め（５）の部分で留めて設置できるように縫製した、ワイシャツ或いはワイシャツと同様な前立てを有するシャツ。
【請求項２】
ワイシャツ或いはワイシャツと同様な前立てを有するシャツの、袋状に縫製した前立て上部の中に挿入し、ボタン留め（５）で留めて設置する薄板（６）で、ボタン留め（５）を挟み込んで設置できるように二本の脚（７）を設けた形状を有する、前立て形状維持具。
【請求項３】
プラスチック製あるいはアクリル製などの弾力性及び形状維持性並びに防水性を備えた材質で、ハサミ等で簡単に切断して任意にその形状を修正できる、請求項２に記載の前立て形状維持具。